(57)【要約】【課題】スローリークのおそれを除去できるハウジング保持構造を備えた蓄熱タンクの提供。【解決手段】（１）ハウジング２０が、タンク本体１０の胴部に巻着される蓄熱タンク取付け部材３０に、ハウジング支持部材４０を介して支持されることにより、タンク本体の口部１３に保持されている蓄熱タンク１。（２）タンク本体１０のハウジング２０からの上方への飛び出しを抑制する押さえブラケット４５、４６、４７を備えている蓄熱タンク１。【選択図】        図１
2004300971.tif 000002
【特許請求の範囲】
【請求項１】
二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが、前記タンク本体の胴部に巻着される蓄熱タンク取付け部材に、ハウジング支持部材を介して支持されることにより、前記タンク本体の口部に保持されている蓄熱タンク。
【請求項２】
二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記タンク本体が、前記タンク本体の胴部に巻着される蓄熱タンク取付け部材を介して被取付体に取付けられており、前記ハウジングが、ハウジング支持部材を介して前記被取付体に支持されることにより、前記タンク本体の口部に保持されている蓄熱タンク。
【請求項３】
前記ハウジング支持部材と前記蓄熱タンク取付け部材の少なくとも一方が、前記ハウジングと前記タンク本体との横方向相対位置の調整を可能とする横方向相対位置調整構造を有している請求項１または請求項２記載の蓄熱タンク。
【請求項４】
前記ハウジング支持部材が、前記ハウジングに連結されるブラケットを有しており、前記ブラケットが、前記ハウジングと前記タンク本体との横方向相対位置の調整を可能とする横方向相対位置調整構造を有している請求項１記載の蓄熱タンク。
【請求項５】
前記横方向相対位置調整構造が前記ブラケットの板厚を部分的に薄くした構造からなる請求項４記載の蓄熱タンク。
【請求項６】
前記横方向相対位置調整構造が、前記ブラケットの幅を部分的に狭くした構造からなる請求項４記載の蓄熱タンク。
【請求項７】
前記横方向相対位置調整構造が、前記ブラケットの材料を部分的に変えた構造からなる請求項４記載の蓄熱タンク。
【請求項８】
前記横方向相対位置調整構造が前記ブラケットに形成されたボルト取付け穴を横方向に長穴とした構造からなる請求項４記載の蓄熱タンク。
【請求項９】
前記横方向相対位置調整構造が前記ハウジング支持部材と前記蓄熱タンク取付け部材の間に横方向隙間を設け、該横方向隙間に隙間調整部材を挿入した請求項１記載の蓄熱タンク。
【請求項１０】
二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが、前記タンク本体に係止されて前記タンク本体と前記ハウジングの一方の他方からの飛び出しを抑制する押さえブラケットにより、前記タンク本体の口部に保持されている蓄熱タンク。
【請求項１１】
前記ハウジングまたは該ハウジングを支持するハウジング支持部材に前記押さえブラケットが固定されている請求項１０の蓄熱タンク。
【請求項１２】
二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが被取付体にハウジング支持部材を介して固定され、前記タンク本体が該タンク本体に係止される押さえブラケットにより前記被取付体に対してその位置が規制されることにより、前記ハウジングが前記タンク本体の口部に保持されている蓄熱タンク。
【請求項１３】
前記押さえブラケットは、前記タンク本体に間隔を調節する間隔調節部材を介して係止されている請求項１０または請求項１１または請求項１２記載の蓄熱タンク。
【請求項１４】
前記間隔調節部材が、前記押さえブラケットと前記タンク本体との間に挿入されたシムからなる請求項１３記載の蓄熱タンク。
【請求項１５】
前記間隔調節部材が、前記押さえブラケットに上下方向に位置調整可能に螺合されたねじ部材からなる請求項１３記載の蓄熱タンク。
【発明の詳細な説明】
【０００１】
【発明の属する技術分野】
本発明は、蓄熱タンクに関し、とくに蓄熱タンクを構成するハウジングの保持構造に関する。
【０００２】
【従来の技術】
特開２００２−１８８４４２号公報、特開２０００−７３７６４号公報には、蓄熱タンクが提案されている。その蓄熱タンクは、内燃機関の冷却液を保温貯蔵するタンク本体と、タンク本体内に冷却液を供給、排出する流体通路が形成されたハウジングとを有している。タンク本体は、内側タンクと外側タンクとを有し、内側、外側タンクの間には保温性を上げるためのほぼ真空とされた空間を有している。ハウジングはタンク本体に対して保持されるが、タンク本体の外側タンクにブラケットを取付け、このブラケットにハウジングを取り付けることにより保持している。
【０００３】
【特許文献１】
特開２００２−１８８４４２号公報
【特許文献２】
特開２０００−７３７６４号公報
【０００４】
【発明が解決しようとする課題】
しかし、上記文献の構造で、ハウジングを確実に保持しようとすると、外側タンクに溶接によりブラケットを取り付けることになり、溶接部の界面を通しての長期間にわたるスローリークによって内側、外側タンク間の真空度が悪化し蓄熱タンクの保温性能の低下を招くという問題が生じる。
本発明の目的は、スローリークのおそれを除去できる、ハウジング保持構造を有する蓄熱タンクを提供することにある。
【０００５】
【課題を解決するための手段】
上記目的を達成する本発明はつぎの通りである。
（１）  二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが、前記タンク本体の胴部に巻着される蓄熱タンク取付け部材に、ハウジング支持部材を介して支持されることにより、前記タンク本体の口部に保持されている蓄熱タンク。
（２）  二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記タンク本体が、前記タンク本体の胴部に巻着される蓄熱タンク取付け部材を介して被取付体に取付けられており、前記ハウジングが、ハウジング支持部材を介して前記被取付体に支持されることにより、前記タンク本体の口部に保持されている蓄熱タンク。
（３）  前記ハウジング支持部材と前記蓄熱タンク取付け部材の少なくとも一方が、前記ハウジングと前記タンク本体との横方向相対位置の調整を可能とする横方向相対位置調整構造を有している（１）または（２）記載の蓄熱タンク。
（４）  前記ハウジング支持部材が、前記ハウジングに連結されるブラケットを有しており、前記ブラケットが、前記ハウジングと前記タンク本体との横方向相対位置の調整を可能とする横方向相対位置調整構造を有している（１）記載の蓄熱タンク。
（５）  前記横方向相対位置調整構造が前記ブラケットの板厚を部分的に薄くした構造からなる（４）記載の蓄熱タンク。
（６）  前記横方向相対位置調整構造が、前記ブラケットの幅を部分的に狭くした構造からなる（４）記載の蓄熱タンク。
（７）  前記横方向相対位置調整構造が、前記ブラケットの材料を部分的に変えた構造からなる（４）記載の蓄熱タンク。
（８）  前記横方向相対位置調整構造が前記ブラケットに形成されたボルト取付け穴を横方向に長穴とした構造からなる（４）記載の蓄熱タンク。
（９）  前記横方向相対位置調整構造が前記ハウジング支持部材と前記蓄熱タンク取付け部材の間に横方向隙間を設け、該横方向隙間に隙間調整部材を挿入した（１）記載の蓄熱タンク。
（１０）  二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが、前記タンク本体に係止されて前記タンク本体と前記ハウジングの一方の他方からの飛び出しを抑制する押さえブラケットにより、前記タンク本体の口部に保持されている蓄熱タンク。
（１１）  前記ハウジングまたは該ハウジングを支持するハウジング支持部材に前記押さえブラケットが固定されている（１０）の蓄熱タンク。
（１２）  二重タンクを有し該二重タンク間の密閉空間がほぼ真空とされ内部に液体を流入、流出させる口部を有するタンク本体と、該タンク本体の内部に液体を流入、流出させる流体通路を有するハウジングとを有し、前記タンク本体の口部に前記ハウジングが嵌合されている蓄熱タンクであって、
前記ハウジングが被取付体にハウジング支持部材を介して固定され、前記タンク本体が該タンク本体に係止される押さえブラケットにより前記被取付体に対してその位置が規制されることにより、前記ハウジングが前記タンク本体の口部に保持されている蓄熱タンク。
（１３）  前記押さえブラケットは、前記タンク本体に間隔を調節する間隔調節部材を介して係止されている（１０）または（１１）または（１２）記載の蓄熱タンク。
（１４）  前記間隔調節部材が、前記押さえブラケットと前記タンク本体との間に挿入されたシムからなる（１３）記載の蓄熱タンク。
（１５）  前記間隔調節部材が、前記押さえブラケットに上下方向に位置調整可能に螺合されたねじ部材からなる（１３）記載の蓄熱タンク。
【０００６】
上記（１）、（２）の蓄熱タンクでは、ハウジングを、タンク本体の胴部に巻着される蓄熱タンク取付け部材、あるいは被取付体に、ハウジング支持部材を介して支持したので、ハウジング支持部材がタンク本体に直接溶接付けされず、ハウジング支持部材を外側タンクに直接溶接した場合の溶接部でのスローリークの問題がなくなる。その結果、内側、外側タンク間の密閉空間の真空度が維持され、蓄熱タンクの保温性が長期にわたって得られる。
上記（３）〜（９）の蓄熱タンクでは、ハウジング支持部材と蓄熱タンク取付け部材の少なくとも一方が、横方向相対位置調整構造を有しているので、ハウジングとタンク本体との間に相対的に横方向位置ずれが生じても、横方向相対位置調整構造によって調整でき、ハウジングとタンク本体との間の冷却液洩れ防止用のシール材に、ハウジングとタンク本体との間の横方向位置ずれによってシール不良が生じることを防止できる。
上記（１０）、（１１）の蓄熱タンクでは、タンク本体とハウジングの一方の他方からの飛び出しを抑制する押さえブラケットを備えているので、タンク本体内部に液圧がかかった時に、タンク本体とハウジングが互いに外れることを防止することができる。また、押さえブラケットはタンク本体に係止され、タンク本体に溶接付けされないので、溶接付けした場合に起こり得る溶接部でのスローリークの問題を除去することができる。
上記（１２）の蓄熱タンクでは、タンク本体とハウジングが押さえブラケットおよびハウジング支持部材により被取付体に対してその位置が規制され、押さえブラケットはタンク本体に係止され、タンク本体に溶接付けされないので、溶接付けした場合に起こり得る溶接部でのスローリークの問題を除去することができる。
上記（１３）〜（１５）の蓄熱タンクでは、押さえブラケットとタンク本体との間の隙間を調整して無くすことができ、タンク本体がハウジングに対して飛び出す方向に移動してハウジングとタンク本体との間の冷却液洩れ防止用のシール材にシール不良が生じることを防止できる。
【０００７】
【発明の実施の形態】
以下に、本発明の蓄熱タンクを、図１〜図１３を参照して、説明する。図１４、図１５は比較例（ハウジング支持部材がタンク本体に溶接付けされた場合の問題を示すもので、本発明には含まない）を示す。
【０００８】
まず、本発明の蓄熱タンク１を、図１、図１２，図１３を参照して説明する。
蓄熱タンク１は、液体（冷却液）を保温貯蔵するタンク本体１０を有する。蓄熱タンク１は、さらに、タンク本体１０の内部に連通するとともに液体が流通する流体通路が設けられたハウジング２０を有する。タンク本体１０はハウジング２０が挿入、嵌合されるタンク本体口部１３を有している。蓄熱タンク１は、軸芯を有し、その軸芯を上下方向に向けて被取付体（たとえば、車体）５０に取付けられる。図示例では、蓄熱タンク１は、タンク本体口部１３を下側に向けて被取付体５０に取付けられているが、蓄熱タンク１は、タンク本体口部１３を上側に向けて被取付体に取付けられてもよい。
【０００９】
タンク本体１０は、内側タンク１１と外側タンク１２を有している。内側タンク１１と外側タンク１２は、たとえば、ステンレス製である。内側タンク１１と外側タンク１２とは、タンク本体口部１３の下端で溶接されて（内側タンク１１と外側タンク１２との溶接部に符号１５を付してある）、内側タンク１１と外側タンク１２との間に密閉空間１４を形成している。密閉空間１４はほぼ真空とされている。密閉空間１４は、真空の断熱効果により、タンク本体１０内に流入された温められた冷却液を保温する。蓄熱タンク１が内燃機関（エンジン）の冷却装置に用いられる場合は、温められた冷却液は、ハウジング２０に設けられた流体通路２１を介して内側タンク１１内に流入されて貯蔵、保温され、エンジン始動前のプレヒート時などに蓄熱タンク１から流出される。
【００１０】
タンク本体１０の内部には、内側タンク１１内に、整流部材１６（混合防止板とも呼ばれる）が設けられている。整流部材１６は、エンジン始動前のプレヒート時などにおいて、流入した冷たい冷却液を均一に整流して整流部材上方に流し、整流部材上方にあった温かい冷却液を冷たい冷却液との混合を抑えて徐々に持ち上げる。整流部材１６には、単一のパイプ挿通用孔１７と、冷却液を均一に整流して通す多数の孔とが設けられている。
【００１１】
ハウジング２０は、ハウジング２０の一部で、タンク本体口部１３に、タンク本体口部１３の内周側に挿入、嵌合されており、タンク本体口部１３とハウジング２０との間は液洩れ防止用のシール材（Ｏリング）１９によってシールされている。ハウジング２０は、タンク本体１０の外部に位置する部分を有しており、この部分に温度センサ２３が取付けられている。ハウジング２０は、たとえば、樹脂製である。タンク本体１０のタンク本体口部１３の内側タンク１１と外側タンク１２との溶接部１５は、タンク本体口部１３の半径方向に、ハウジング２０によって外側から囲まれておらず、タンク本体口部１３の半径方向外側方向に開放している。
【００１２】
ハウジング２０にはパイプ２５が挿入、固定されている。パイプ２５の一端はハウジング２０の流体通路２２に接続されており、パイプ２５の他端は内側タンク１１内の冷却液が充満した空間に開放している。パイプ２５は、整流部材１６のパイプ挿通用孔１７を挿通して延びている。
パイプ２５の途中部位には、パイプ２５の半径方向外側に延びるつば部２６が設けられている。つば部２６と整流部材１６のパイプ挿通用孔１７の周囲部１８とは、互いに固定されてはいない。
【００１３】
本発明の保持構造を含む蓄熱タンク１は、図１〜図１３に示すように、蓄熱タンク支持部材によって最終的には被取付体（車体）５０に支持される。図１〜図１３に示す形態では、この蓄熱タンク支持部材として、タンク本体１０を被取付体５０に取付ける蓄熱タンク取付け部材３０と、ハウジング２０を支持するハウジング支持部材４０との、少なくとも一方を含む。なお、蓄熱タンク取付け部材３０およびハウジング支持部材４０は、たとえば、金属製である。また、図２〜図４に示すように、タンク本体１０に対してハウジング２０がタンク口部軸方向に固定されていないが、蓄熱タンク支持部材は、内側タンク１１に内圧がかかった時に、タンク本体１０とハウジング２０との一方が他方に対して飛び出ようとするのを抑制する押さえブラケット４５、４６、４７を含んでもよい。図２に示すように、押さえブラケット４５は、蓄熱タンク取付け部材３０、被取付体５０に対してフリーであってもよいし、図３に示すように、押さえブラケット４６がハウジング支持部材４０、あるいはハウジング２０に取付けられてもよいし、図４に示すように、押さえブラケット４７が被取付体５０に取付けられてもよい。
【００１４】
第１の形態の保持構造では、図１、図１２、図１３に示すように、蓄熱タンク取付け部材３０は、タンク本体１０に、直接、溶接付けされてはいない。蓄熱タンク取付け部材３０は、図１３に示すように、タンク本体１０の胴部に巻付けられた弾性部材３９を介してタンク本体１０を保持する。
弾性部材３９は、弾性を有する帯状部材であり、その材料は、たとえば、ゴムである。
蓄熱タンク取付け部材３０は、弾性部材３９を外側から締めるバンド（バンド状ブラケット）３１を有する。蓄熱タンク取付け部材３０は、さらに、ブラケット３２を有する。ブラケット３２はバンド３１に、たとえば、スポット溶接などにより取付けられている。
【００１５】
図１３に示すように、バンド３１は、周上に１ヵ所切れ目を有し、バンド両端に形成されたフランジをボルト３３でタンク本体１０の周方向に締め付けることにより、タンク本体１０に溶接付けされずに、タンク本体１０に弾性部材３９を介して取付けられる。
【００１６】
バンド３１に取付けたブラケットは、被取付体５０に取付けられる。被取付体５０は、車体にボルト５２などによって取付けられた車両側ブラケット５１を含み、ブラケット３２が車両側ブラケット５１にゴムブッシュ（ゴム部を有するブッシュ）５５を介して取付けられ支持されることにより、蓄熱タンク１は、被取付体５０に取り付けられ、支持される。
【００１７】
第１の形態の保持構造においては、タンク本体１０は、タンク本体１０の胴部に巻着されるバンド３１を含む蓄熱タンク取付け部材３０を介して被取付体５０に取付けられて、支持され、ハウジング２０は、図１に示すように、ハウジング支持部材４０を介して蓄熱タンク取付け部材３０に支持されることにより、タンク本体１０の口部１３に保持される。
第１の形態の場合には、ハウジング支持部材４０は、吊り上げブラケット４１を含む。吊り上げブラケット４１は、上下方向に延び、図１２、図１３に示すように、上端部でバンド３１にボルト４３などによって連結され、下端部でハウジング２０にボルト４２などにより連結される。なお、吊り上げブラケット４１の上端部は、蓄熱タンク取付け部材３０の上面に係止されてもよい。また、吊り上げブラケット４１の下端部は、ハウジング２０の下面に係止されてもよい。
第１の形態の保持構造においては、図１、図１２、図１３に示すように、タンク本体１０が蓄熱タンク取付け部材３０によって被取付体５０に取付けられ、ハウジング２０がハウジング支持部材４０（吊り上げブラケット４１）によって蓄熱タンク取付け部材３０に支持されてたが、第２の形態の保持構造として、タンク本体１０が、図１２、図１３に示す態様で、蓄熱タンク取付け部材３０によって被取付体５０に取付けられ、かつ、ハウジング２０がハウジング支持部材４０によって被取付体５０に支持されてもよい。
【００１８】
第３の形態の保持構造では、図２、図３に示すように、ハウジング２０が、タンク本体１０に係止されてタンク本体１０とハウジング２０の一方の他方からの飛び出しを抑制する押さえブラケット４５、４６により、タンク本体口部１３に保持されている。タンク本体１０は、押さえブラケット４５、４６に係止されることによってハウジング２０に対して位置が拘束されているが、押さえブラケット４５、４６には固定されていない。図２に示す態様では、ハウジング支持部材４０が無く、押さえブラケット４５は、蓄熱タンク取付け部材３０にも被取付体５０にも固定されておらず、フリーである。図３に示す態様では、蓄熱タンク取付け部材３０が無く、蓄熱タンク１は、ハウジング支持部材４０を介して被取付体５０に取付けられ、押さえブラケット４６は、ハウジング支持部材４０に固定されている。
図２の示す態様において、タンク本体１０を被取付体５０に取付ける蓄熱タンク取付け部材３０は、図１２、図１３に示した態様でタンク本体１０の胴部に巻着されている。押さえブラケット４５は、その上端部でタンク本体１０の頭部に係止され、その下端部でハウジング２０に固定されているが、押さえブラケット４５の下端部は、ハウジング２０の下面に係止されていてもよい。
【００１９】
図３に示す態様においては、タンク本体１０を被取付体５０に取付ける蓄熱タンク取付け部材３０は無く、蓄熱タンク１は、ハウジングを支持するハウジング支持部材４０を介して被取付体５０に取付けられている。押さえブラケット４６は、その上端部でタンク本体１０の頭部に係止されており、その下端部でハウジング支持部材４０に溶接またはボルトなどにより固定されているが、押さえブラケット４６の下端部は、ハウジング２０の下面に係止されていてもよく、ハウジング２０にボルトにより固定されていてもよい。
図２、図３に示す第３の形態では、蓄熱タンク１は、被取付体５０に蓄熱タンク取付け部材３０またはハウジング支持部材４０を介して固定されているが、蓄熱タンク取付け部材３０およびハウジング支持部材４０を無くすとともに、押さえブラケット４５、４６を蓄熱タンク支持部材として用い、蓄熱タンク１を押さえブラケット４５、４６を介して被取付体５０に取付け、固定してもよい。
【００２０】
第４の形態の保持構造では、図４に示すように、ハウジング２０が被取付体５０にハウジング支持部材４０を介して固定され、タンク本体１０が該タンク本体１０に係止される押さえブラケット４７により被取付体５０に対してその位置が規制されることにより、ハウジング２０がタンク本体１０の口部１３に保持されている。タンク本体１０は、押さえブラケット４７に係止され、押さえブラケット４７によって押さえられて被取付体５０に対して位置が拘束されているが、押さえブラケット４７には固定されていない。
第４の形態の保持構造では、図４に示すように、タンク本体１０を被取付体５０に取付ける蓄熱タンク取付け部材３０は無く、ハウジング２０がハウジング支持部材４０によって被取付体５０に取付けられており、押さえブラケット４７がタンク本体１０の頭部に係止されており、押さえブラケット４７が被取付体５０に固定されている。
【００２１】
蓄熱タンク１の上記構造部分の作用を説明する。
まず、蓄熱タンク１を支持する場合、蓄熱タンク取付け部材３０もハウジング支持部材４０もタンク本体１０に、直接、溶接付けされていないので、溶接部でのスローリークの問題が無い。たとえば、図１では、ハウジング２０を、ハウジング支持部材４０を介して、タンク本体１０に溶接付けされていない蓄熱タンク取付け部材３０に取り付けたので、ハウジング支持部材４０と蓄熱タンク取付け部材３０はタンク本体１０に直接溶接付けされず、ハウジング支持部材４０と蓄熱タンク取付け部材３０を外側タンク１２に直接溶接した場合の溶接部６０の界面６１でのスローリークの問題が無くなる。
【００２２】
図１４、図１５は比較例（本発明に含まず）を示す。図１４は、ハウジング支持部材４０をタンク本体１０に溶接付けした場合を示し、図１５はその溶接部６０を示す。図１４、図１５では、長期使用において、溶接部６０の界面６１でスローリーク（大気が内側、外側タンク１１、１２間のほぼ真空の密閉空間１４にリークすること）が生じ、真空度を悪化させる。
これに対し、本発明では外側タンク１２と、ハウジング支持部材４０および蓄熱タンク取付け部材３０との間の溶接部を除去したため、溶接部の界面でスローリークの問題が無くなる。その結果、内側、外側タンク１１、１２間の密閉空間１４の真空度が維持され、蓄熱タンク１の保温性が長期にわたって得られる。
【００２３】
ところで、本発明の保持構造をもつ蓄熱タンク１では、以下のイ、ロの問題が生じることがあり、それを抑制するために、以下の構成を備えることが望ましい。
イ．  第１、第２の形態の保持構造では、タンク本体１０とハウジング２０との、横方向の相対位置のばらつきによる、弾性を有するシール材１９（Ｏリング１９）の過圧縮によるシール材１９のへたり、及び、過圧縮部位と直径方向反対部位の、適正量の圧縮代が与えられないこと（圧縮不足）による、シール不良の問題が生じるおそれがある。
ロ．  第３、第４の形態の保持構造では、タンク本体１０の上下方向の位置のばらつきにより、タンク本体１０の頭部とその飛び出しを抑制する押さえブラケット４５、４６、４７との間に隙間が生じ、タンク本体１０が内圧を受けた時にハウジング２０に対して相対的に上下に動くことによるシール材１９（Ｏリング１９）の摩耗と、それによるシール不良の問題が生じるおそれがある。
そのうち、イ．の横方向のばらつきによるシール不良を解決する構造を、図５〜図９に示し、ロ．の上下方向のばらつきによるシール不良を解決する構造を、図１０、図１１に示す。以下、それらについて説明する。
【００２４】
第１、第２の形態の保持構造においては、ハウジング支持部材４０と蓄熱タンク取付け部材３０の少なくとも一方に、ハウジング２０とタンク本体１０との横方向相対位置の調整を可能とする横方向相対位置調整構造４８を有していることが望ましい。第１の形態の保持構造にあっては、横方向相対位置調整構造４８は、図５、図６〜図８に示すような、吊り上げブラケット４１に形成された構造４８Ａ〜４８Ｄであってもよいし、あるいは図９に示すような、ハウジング支持部材４０と蓄熱タンク取付け部材３０との間の横方向隙間に隙間調整部材を挿入した構造４８Ｅであってもよい。
【００２５】
図６では、横方向相対位置調整構造４８が、吊り上げブラケット４１の板厚を部分的に薄くした（他のブラケット部分の板厚より薄くした）構造４８Ａからなる。この構造４８Ａは、上下方向にはハウジング２０の位置を変えないが、横方向には構造４８Ａ部位で容易に吊り上げブラケット４１を弾性変形させハウジング２０の横方向位置を変える。
その作用については、ハウジング２０がタンク本体１０に対して横方向に偏芯して取付けられた場合、シール材１９に過圧縮部とその反対側の圧縮不足部が生じ、ハウジング２０とハウジング支持部材４０はシール材１９から横方向力を受ける。しかし、ハウジング支持部材４０が横方向相対位置調整構造４８Ａ部位で弾性変形し、シール材１９の過圧縮部からの力と圧縮不足部からの力をバランスさせ、シール材１９が全周にわたって同じ適正圧縮量となるようにし、シール材１９のへたりとシール不良の問題を解決する。
【００２６】
図７では、横方向相対位置調整構造４８が、吊り上げブラケット４１の幅を部分的に狭くした（他のブラケット部分の幅より狭くした）構造４８Ｂからなる。この構造４８Ｂは、上下方向にはハウジング２０の位置を変えないが、横方向には構造４８Ｂ部位で容易に吊り上げブラケット４１を弾性変形させハウジング２０の横方向位置を変える。
その作用については、ハウジング２０がタンク本体１０に対して横方向に偏芯して取付けられた場合、シール材１９に過圧縮部とその反対側の圧縮不足部が生じ、ハウジング２０とハウジング支持部材４０はシール材１９から横方向力を受ける。しかし、ハウジング支持部材４０が横方向相対位置調整構造４８Ｂ部位で弾性変形し、シール材１９の過圧縮部からの力と圧縮不足部からの力をバランスさせ、シール材１９が全周にわたって同じ適正圧縮量となるようにし、シール材１９のへたりとシール不良の問題を解決する。
【００２７】
図５では、横方向相対位置調整構造４８が、吊り上げブラケット４１の材料を、少なくとも部分的に変えた（たとえば、他のブラケット部分より曲げ剛性を弱くした、あるいは、ばね材とした）構造４８Ｃからなる。この構造４８Ｃは、上下方向にはハウジング２０の位置を変えないが、横方向には構造４８Ｃ部位で容易にブラケット４１、４４を弾性変形させハウジング２０の横方向位置を変える。
その作用については、ハウジング２０がタンク本体１０に対して横方向に偏芯して取付けられた場合、シール材１９に過圧縮部とその反対側の圧縮不足部が生じ、ハウジング２０とハウジング支持部材４０はシール材１９から横方向力を受ける。しかし、ハウジング支持部材４０が横方向相対位置調整構造４８Ｃ部位で弾性変形し、シール材１９の過圧縮部からの力と圧縮不足部からの力をバランスさせ、シール材１９が全周にわたって同じ適正圧縮量となるようにし、シール材１９のへたりとシール不良の問題を解決する。
【００２８】
図８では、横方向相対位置調整構造４８が、吊り上げブラケット４１に形成されたボルト取付け穴を横方向に長穴とした構造４８Ｄからなる。この構造４８Ｄは、上下方向にはハウジング２０の位置を変えないが、横方向には構造４８Ｄ部位で容易にハウジング２０の横方向位置を変える。
その作用については、ハウジング２０がタンク本体１０に対して横方向に偏芯して取付けられた場合、シール材１９に過圧縮部とその反対側の圧縮不足部が生じ、ハウジング２０とハウジング支持部材４０はシール材１９から横方向力を受ける。しかし、ハウジング２０が横方向相対位置調整構造４８Ｄ部位でハウジング支持部材４０に対して横方向に変位し、シール材１９の過圧縮部からの力と圧縮不足部からの力をバランスさせ、シール材１９が全周にわたって同じ適正圧縮量となるようにし、シール材１９のへたりとシール不良の問題を解決する。
【００２９】
図９では、横方向相対位置調整構造４８が、ハウジング支持部材４０と蓄熱タンク取付け部材３０の間に横方向隙間を設け該横方向隙間にシム等の隙間調整部材を挿入した構造４８Ｅからなる。この構造４８Ｅは、上下方向にはハウジング２０の位置を変えないが、横方向には構造４８Ｅ部位で容易にハウジング支持部材４０およびハウジング２０の、タンク本体１０および蓄熱タンク取付け部材３０に対する横方向位置を変える。
その作用については、ハウジング２０がタンク本体１０に対して横方向に偏芯して取付けられた場合、シール材１９に過圧縮部とその反対側の圧縮不足部が生じ、ハウジング２０とハウジング支持部材４０はシール材１９から横方向力を受ける。しかし、ハウジング支持部材４０およびハウジング２０が横方向相対位置調整構造４８Ｅ部位でタンク本体１０および蓄熱タンク取付け部材３０に対して横方向に変位し、シール材１９の過圧縮部からの力と圧縮不足部からの力をバランスさせ、シール材１９が全周にわたって同じ適正圧縮量となるようにし、シール材１９のへたりとシール不良の問題を解決する。
【００３０】
前記ロ．の上下方向の隙間によってタンク本体１０がハウジング２０に対して動きシール材１９が摩耗してシール不良を起こすことを解決するために、第３、第４の形態の保持構造においては、押さえブラケット４５、４６、４７をタンク本体１０に間隔調整部材を介して係止する上下方向相対位置調整構造４９を有していることが望ましい。
図１０では、上下方向相対位置調整構造４９が、押さえブラケット４７とタンク本体１０との間に上下方向隙間を設け該上下方向隙間にシム４９Ａを挿入した構造からなる。
その作用については、シム４９Ａの厚さを調整することにより上下方向相対位置調整構造４９が、押さえブラケット４７とタンク本体１０との間の上下方向隙間を無くす。その結果、タンク本体１０がハウジング２０に対して上下方向に動きにくくなり、シール材１９の摩耗が低減し、シール不良が防止される。
【００３１】
図１１では、上下方向相対位置調整構造４９が、押さえブラケット４７に上下方向に延びるねじ部材４９Ｂを上下方向に位置調整可能に螺合し、該ねじ部材４９Ｂの下端をタンク本体１０に対向させた構造からなる。ねじ部材４９Ｂのねじ込み度を変えることにより、ねじ部材４９Ｂの下端とタンク本体１０の頭部との間の隙間が変わる。
その作用については、ねじ部材４９Ｂのねじ込み度を調整することにより上下方向相対位置調整構造４９が、押さえブラケット４７とタンク本体１０との間の上下方向隙間を無くす。その結果、タンク本体１０がハウジング２０に対して上下方向に動きにくくなり、シール材１９の摩耗が低減し、シール不良が防止される。
【００３２】
【発明の効果】
請求項１、２の蓄熱タンクによれば、ハウジングを、タンク本体の胴部に巻着される蓄熱タンク取付け部材あるいは被取付体に、ハウジング支持部材を介して支持したので、ハウジング支持部材がタンク本体に直接溶接付けされず、ハウジング支持部材を外側タンクに直接溶接した場合の溶接部でのスローリークの問題がなくなる。
請求項３〜９の蓄熱タンクによれば、ハウジング支持部材と蓄熱タンク取付け部材の少なくとも一方が、横方向相対位置調整構造を有しているので、ハウジングとタンク本体との間に相対的に横方向位置ずれが生じても、横方向相対位置調整構造によって調整でき、ハウジングとタンク本体との間の冷却液洩れ防止用のシール材に、ハウジングとタンク本体との間の横方向位置ずれによってシール不良が生じることを防止できる。
請求項１０、１１の蓄熱タンクによれば、タンク本体とハウジングの一方の他方からの飛び出しを抑制する押さえブラケットを備えているので、タンク本体内部に液圧がかかった時に、タンク本体とハウジングが互いに外れることを防止することができる。また、押さえブラケットはタンク本体に係止され、タンク本体に溶接付けされないので、溶接付けした場合に起こり得る溶接部でのスローリークの問題を除去することができる。
請求項１２の蓄熱タンクによれば、タンク本体とハウジングが押さえブラケットおよびハウジング支持部材により被取付体に対してその位置が規制され、押さえブラケットはタンク本体に係止され、タンク本体に溶接付けされないので、溶接付けした場合に起こり得る溶接部でのスローリークの問題を除去することができる。
請求項１３〜１５の蓄熱タンクによれば、押さえブラケットとタンク本体との間の隙間を調整して無くすことができ、ハウジングとタンク本体とが上下方向に相対的に移動した場合に生じるおそれがあるシール材の摩耗によるシール不良が生じることを防止できる。
【図面の簡単な説明】
【図１】本発明の、第１の形態の保持構造をもつ蓄熱タンクの、一部を断面で示した、全体正面図である。
【図２】本発明の、第２の形態の保持構造をもつ蓄熱タンクの、一部を断面で示した、全体正面図である。
【図３】本発明の、第３の形態の保持構造をもつ蓄熱タンクの、一部を断面で示した、全体正面図である。
【図４】本発明の、第４の形態の保持構造をもつ蓄熱タンクの、一部を断面で示した、全体正面図である。
【図５】本発明の、横方向相対位置調整構造４８Ｃをもつ蓄熱タンクの、一部を断面で示した、全体正面図である。
【図６】本発明の蓄熱タンクの、横方向相対位置調整構造４８Ａの側面図である。
【図７】本発明の蓄熱タンクの、横方向相対位置調整構造４８Ｂの斜視図である。
【図８】本発明の蓄熱タンクの、横方向相対位置調整構造４８Ｄの斜視図である。
【図９】本発明の蓄熱タンクの、横方向相対位置調整構造４８Ｅをもつ蓄熱タンクの、一部を断面で示した、全体正面図である。
【図１０】本発明の、上下方向相対位置調整構造４９Ａをもつ押さえブラケットを備えた蓄熱タンクの、一部を断面にして示した、正面図である。
【図１１】本発明の、上下方向相対位置調整構造４９Ｂをもつ押さえブラケットを備えた蓄熱タンクの、一部を断面にして示した、正面図である。
【図１２】本発明の蓄熱タンクの全体断面図である。
【図１３】図１２の蓄熱タンクの平面図である。
【図１４】比較例の蓄熱タンクの、蓄熱タンク支持部材とタンク本体の、一部を断面にして示した正面図である。
【図１５】図１４の丸Ａで囲んだ部分の拡大断面図である。
【符号の説明】
１  蓄熱タンク
１０  タンク本体
１１  内側タンク
１２  外側タンク
１３  タンク本体口部
１４  密閉空間
１５  溶接部（内側タンクと外側タンクとの溶接部）
１６  整流部材（混合防止板）
１７  パイプ挿通用孔
１８  パイプ挿通用孔の周囲部
１９  シール材（Ｏリング）
２０  ハウジング
２１  流体通路
２２  流体通路
２３  温度センサ
２５  パイプ
２６  つば部
３０  蓄熱タンク取付け部材
３１  バンド（バンド状ブラケット）
３２  ブラケット
３９  弾性部材
４０  ハウジング支持部材
４１  吊り上げブラケット
４２、４３  ボルト
４５、４６、４７  押さえブラケット
４８、４８Ａ〜４８Ｅ  横方向相対位置調整構造
４９、４９Ａ、４９Ｂ  上下方向相対位置調整構造
５０  被取付体（車体）
５１  車両側ブラケット
５２  ボルト
５５  ゴムブッシュ
【図１】
2004300971.tif 000003
【図２】
2004300971.tif 000004
【図３】
2004300971.tif 000005
【図４】
2004300971.tif 000006
【図５】
2004300971.tif 000007
【図６】
2004300971.tif 000008
【図７】
2004300971.tif 000009
【図８】
2004300971.tif 000010
【図９】
2004300971.tif 000011
【図１０】
2004300971.tif 000012
【図１１】
2004300971.tif 000013
【図１２】
2004300971.tif 000014
【図１３】
2004300971.tif 000015
【図１４】
2004300971.tif 000016
【図１５】
2004300971.tif 000017